(57)【要約】【課題】端末装置内が高温とならず投影時の画像サイズも制限されない、受信画像等を外部スクリーンに表示でき且つ経済的に構成することができる、着脱可能な表示部を有する電話機及びプロジェクタ装置を提供する。【解決手段】画像表示手段１０１を有する電話機１００であって、画像表示手段は透過型表示デバイスとバックライトから構成されると共に、透過型表示デバイスは電話機本体から着脱可能な構造とし、透過型表示デバイスと電話機本体側の回路とは引出し可能なケーブル１０２で接続することを特徴とする。【選択図】図１
2007124004.tif 000002
【特許請求の範囲】
【請求項１】
画像表示手段を有する電話機であって、前記画像表示手段は透過型表示デバイスとバックライトから構成されると共に、前記透過型表示デバイスは電話機本体から着脱可能な構造とし、前記透過型表示デバイスと前記電話機本体側の回路とは引出し可能なケーブルで接続することを特徴とする着脱可能な表示部を有する電話機。
【請求項２】
請求項１記載において、前記透過型表示デバイスは液晶デバイスであることを特徴とする着脱可能な表示部を有する電話機。
【請求項３】
透過型表示デバイスの表示画像を投影するプロジェクタであって、前記透過型表示デバイスは着脱可能な構造であると共に、前記透過型表示デバイスは外部の機器で駆動することを特徴とするプロジェクタ装置。
【発明の詳細な説明】
【技術分野】
【０００１】
本発明は、着脱可能な表示部を有する電話機及びプロジェクタ装置に関する。
【背景技術】
【０００２】
折り畳み式携帯電話機の上筐体に閉成した状態でも露出するように設けられたサブ表示部に透過型のＬＣＤを設け、折り畳み式携帯電話機内に組み込まれている超高輝度ＬＥＤ及び光学系を発光することによって、サブ表示部で表示される画像を透過型のＬＣＤを介してスクリーン等に投影するプロジェクタ機能を持ち、サブ表示部のＬＣＤとプロジェクタ用の液晶を兼用している（例えば、特許文献１参照）。
【０００３】
【特許文献１】特開２００５−１９１８３８号公報
【発明の開示】
【発明が解決しようとする課題】
【０００４】
携帯電話等の小型の端末装置内に超高輝度ＬＥＤ及び光学系を組み込み発光させた場合、端末装置内が高温となり故障の恐れがある。光源の輝度を考慮する必要があり光源の輝度を制限しなくてはならない。そのため、投影時の画像サイズが制限される。
【０００５】
本発明の目的は、端末装置内が高温とならず投影時の画像サイズも制限されない、受信画像等を外部スクリーンに表示でき且つ経済的に構成することができる、着脱可能な表示部を有する電話機及びプロジェクタ装置を提供することにある。
【課題を解決するための手段】
【０００６】
本発明は、画像表示手段を有する電話機であって、前記画像表示手段は透過型表示デバイスとバックライトから構成されると共に、前記透過型表示デバイスは電話機本体から着脱可能な構造とし、前記透過型表示デバイスと前記電話機本体側の回路とは引出し可能なケーブルで接続することを特徴とする着脱可能な表示部を有する電話機である。
【０００７】
また本発明は、上記記載において、前記透過型表示デバイスは液晶デバイスであることを特徴とする着脱可能な表示部を有する電話機である。
【０００８】
さらに本発明は、透過型表示デバイスの表示画像を投影するプロジェクタであって、前記透過型表示デバイスは着脱可能な構造であると共に、前記透過型表示デバイスは外部の機器で駆動することを特徴とするプロジェクタ装置である。
【発明の効果】
【０００９】
本発明によれば、端末装置内が高温とならず投影時の画像サイズも制限されない、受信画像等を外部スクリーンに表示でき且つ経済的に構成することができる、着脱可能な表示部を有する電話機及びプロジェクタ装置を得ることができる。
【発明を実施するための最良の形態】
【００１０】
以下、本発明に係る実施の形態を詳細に説明する。
【００１１】
図１は、本発明に係る実施の形態の全体構成図である。図２は、電話機本体にＬＣＤを着脱する様子を示す図である。図３は、ＬＣＤとプロジェクタユニットの連携の様子を示す図である。
【００１２】
全体構成は、電話機本体１００から取り外したＬＣＤ部１０１を、引きだしコード１０２を延ばして、プロジェクタユニット１０３に装着させる。プロジェクタユニット１０３はライト駆動部１０４からの投射光を、ＬＣＤ部１０１に向けて投射し、ＬＣＤ部１０１で表示されている画像を、投影レンズ３０２よりスクリーン１０６に映し出す構成である。
【００１３】
なお、ＬＣＤ部１０１は透過型液晶パネルであって、電話機本体１００のバックライト２２０は取り外さない。
【００１４】
電話機本体１００からＬＣＤ部１０１を着脱するには、電話機本体１００の装着部分１０８に、ＬＣＤ部１０１の角度調整が可能で且つ着脱ができる着脱用コネクタ１０７を、カセット式で装着または取り外す。引きだしコード１０２により、ＬＣＤ部１０１を一定の距離まで移動する事が可能である。また、引きだしコード１０２を一定の距離まで延ばす事でコードを引き戻せる事が可能である。
【００１５】
ＬＣＤ部１０１とプロジェクタユニット１０３の連携時は、ＬＣＤ部１０１の着脱用コネクタ１０７を調整し、プロジェクタユニット１０３のＬＣＤ装着部１０９に、ＬＣＤ部１０１を上側からスライドさせて装着する。
【００１６】
図４は、本発明に係る実施の形態の全体機能ブロック図である。
【００１７】
本発明装置は、電話機本体１００に装着のＬＣＤ部１０１を含む着脱可能表示部２０１を取り外し、取り外した着脱可能表示部２０１を直接プロジェクタユニット１０３に装着することで、液晶プロジェクタとしての動作をする機能を持つ。
【００１８】
電話機本体１００は音声通信と共に画像データ通信も可能な通信端末とし、電話機の基本構成を示している。電話機本体１００は、制御部２０２と音声/通信制御部２０３と操作部２０４とメモリ部２０５とスピーカ２０６とハンドセット２０７と画像制御部２０８とモジュラーコネクタ２０９とＰＯＷＥＲ２１０とＬＣＤ調整部２１１とバックライト駆動部２１２から構成される。
【００１９】
電話機本体１００から着脱できるＬＣＤ部１０１を含む着脱可能表示部２０１は、ＬＣＤ部１０１とＬＣＤ駆動部２１３と引きだしコード１０２と着脱用コネクタ１０７から構成される。
【００２０】
着脱可能表示部２０１と連携しプロジェクタ動作を可能とするプロジェクタユニット１０３は、ＰＯＷＥＲ３０１とライト駆動部１０４とレンズ１０５とＬＣＤ装着部１０９と投影レンズ３０２から構成される。
【００２１】
制御部２０２は電話機本体１００全体の動作を制御する。
【００２２】
音声/通信制御部２０３は着信音等の音源、音声データの送受信や画像データの送受信、外部に音を出力するスピーカ２０６、通話時に使用するハンドセット２０７を制御し、電話機の通信回路を構成する。
【００２３】
操作部２０４は、各種の命令をキー入力により制御部２０２に伝える。
【００２４】
メモリ部２０５は、電話機のデータ送受信情報や、ＬＣＤ部１０１をプロジェクタユニット１０３と連携させた際のＬＣＤ調整部２１１での色調(コントラスト)の調整やバックライト駆動部２１２によるバックライト処理等の設定データを記憶する。制御部２０２は、メモリ部２０５で記憶されている情報を読み出して各部の動きを制御する。
【００２５】
ハンドセット２０７は通話時に使用する。
【００２６】
スピーカ２０７は外部に音を出力する。
【００２７】
画像制御部２０８は、音声/通信制御部２０３で送られてきた画像データを、例えば映像データの圧縮方式であるＭＰＥＧで圧縮伸長を行う。
【００２８】
モジュラーコネクタ２０９は、電話線またはＩＰ回線の場合はＬＡＮケーブル等を接続するポートである。
【００２９】
ＰＯＷＥＲ２１０は、電話機本体１００と着脱可能表示部２０１に必要な電源を供給するための電源回路である。
【００３０】
ＬＣＤ調整部２１１は、画像制御部２０８で処理された画像データを制御しＬＣＤ部１０１で映像として表示させる。また、ＬＣＤ部１０１をプロジェクタユニット１０３と連携する際もプロジェクタ動作に適した色調(コントラスト)に調整する。
【００３１】
バックライト駆動部２１２は、ＬＣＤ部１０１のバックライト機能の動作を処理する。バックライト２２０の輝度調整や着脱可能表示部２０１を着脱時には消灯するかしないかの動作を制御する。通常の電話機動作時はバックライト２２０とＬＣＤ部１０１は一体化で、ＬＣＤ部１０１をプロジェクタユニット１０３と連携させる場合は分離される。
【００３２】
ＬＣＤ部１０１は、電話機が受ける画像データを映像として表示するものであり、電話機本体１００からの分離が可能である。ＬＣＤ部１０１は、プロジェクタユニット１０３との連携時は、プロジェクタ用の液晶パネルとなることから、電話機動作時とプロジェクタ動作時で兼用する透過型の液晶(ＬＣＤ)である。
【００３３】
ＬＣＤ駆動部２１３は、制御部２０２を介して送られてくる音声/通信制御部２０３からの画像データと操作部２０４からの命令データとメモリ部２０５で記憶されている情報やＬＣＤ調整部２１１での処理データを受けて、ＬＣＤ部１０１全体の動作を制御する。
【００３４】
着脱用コネクタ１０７は、電話機本体１００と着脱可能表示部２０１を着脱可能にするコネクタであり、電話機本体１００の装着部分１０８に装着しまたは取り外す。また着脱用コネクタ１０７は、ＬＣＤ部１０１を起こすまたは倒す等の角度調整をすることができる。
【００３５】
引きだしコード１０２は、着脱用コネクタ１０７によってＬＣＤ部１０１が外された時に使用するコードであり、電話機本体１００と着脱可能表示部２０１間のインターフェイス回路を構成する。
【００３６】
ＰＯＷＥＲ３０１は、プロジェクタユニット１０３に必要な電力を供給する電源回路である。
【００３７】
ライト駆動部１０４は、高輝度の光源を内蔵しており、ＬＣＤ部１０１に対して投射を行う。
【００３８】
投影レンズ３０２は、ＬＣＤ部１０１を通過したライト駆動部１０４からの光をスクリーン１０６に結像するレンズであり、ＬＣＤ部１０１で表示される画像を拡大させる。
【００３９】
ＬＣＤ装着部１０９は、プロジェクタユニット１０３に付随するコネクタ部であり、電話機本体１００から外されたＬＣＤ部１０１を含む着脱可能表示部２０１を装着するためのコネクタである。
【００４０】
図５は、プロジェクタユニット１０３の構成図である。
【００４１】
プロジェクタユニット１０３は、電話機本体１００から外したＬＣＤ部１０１を含む着脱可能表示部２０１と連携した際に、プロジェクタとして動作する。
【００４２】
ＰＯＷＥＲ３０１は、プロジェクタユニット１０３を起動させるための電源回路である。ライト駆動部１０４は、高輝度の投射光を生成するための駆動回路である。
【００４３】
ＬＣＤ装着部１０９は、電話機本体１００から外されたＬＣＤ部１０１を含む着脱可能表示部２０１を着脱する部分であり、プロジェクタユニット１０３との装着を検出する。
【００４４】
液晶駆動回路部３０２は、電話機側からの命令(設定)により輝度や色調(コントラスト)や焦点位置を調整する。
【００４５】
ライト駆動部１０４から発光される投射光を、レンズ１０５により絞ってＬＣＤ部１０１を投射する。この投射によってＬＣＤ部１０１にて表示される画像が投影レンズ３０２を介して投影されるため、スクリーン１０６に画像が拡大で表示される。
【００４６】
本発明装置による拡大表示が可能な画像例は、外線としてはＴＶ電話、携帯電話、遠隔地に設置されているネットワークカメラ、ＴＶ会議システム等から配信される画像、内線としてはカメラドアホン等の画像が挙げられる。これらの電話機が受ける画像情報を、本発明装置を使用し拡大して表示する。
【００４７】
次に、図１、図２、図３を用いて、電話機本体１００からＬＣＤ部１０１を外した際について記載する。
【００４８】
ＬＣＤ部１０１とプロジェクタユニット１０３の連携時には、ＬＣＤ部１０１は電話機本体１００から分離される。ＬＣＤ部１０１は透過型の液晶でありプロジェクタの液晶パネルとして使用するため、電話機本体１００からＬＣＤ部１０１を外した際に、電話機本体１００側に残存しているバックライト２２０は消灯させる。方法としては、例えば着脱時に使用する着脱用コネクタ１０７を電話機本体１００側の装着部分１０８から外したことを電気的に検出し、バックライト２２０の動作を停止すればよい。反対に電話機本体１００にＬＣＤ部１０１を戻す際は、着脱用コネクタ１０７が電話機本体１００の装着部分１０８に装着された事を電気的に検出することにより、電話機本体１００に装着時にはバックライト２２０は常に点灯可能な状態にある。
【００４９】
ここで、ＬＣＤ部１０１について記載する。
【００５０】
本発明では、電話機本体１００から画像を表示しているＬＣＤ部１０１を取り外し、外部の出力装置であるプロジェクタユニット１０３用の液晶パネルとして動作させる必要がある事から、電話機のＬＣＤ部１０１は透過型の液晶(ＬＣＤ)を採用する。
【００５１】
また、プロジェクタユニット１０３から投射される高輝度の投射光に対しての耐久性が必要となる。そのため、電話機本体に使用するＬＣＤ部１０１はプロジェクタで使用される高輝度の投射光に対して耐久性がある透過型の液晶パネルと同等な性能を持つ液晶(ＬＣＤ)とすることが望ましい。
【００５２】
本実施の形態では、電話機から画像を表示する透過型の液晶デバイスを着脱可能にすることで、端末装置内が高温とならず投影時の画像サイズも制限されない、着脱可能な表示部を有する電話機及びプロジェクタ装置を得ることができる。
【００５３】
また画像を表示する透過型の液晶デバイスを着脱可能にすることで、直接外部の出力装置と連携をとることができるので、外部出力装置とのインターフェイス回路が不要である。
【００５４】
また既存のＬＣＤ駆動部をそのまま使用するので、組み込むための改造が少ないので経済的である。
【００５５】
また画像を表示する透過型の液晶デバイスを着脱可能にすることで、簡単にプロジェクタ機能を実現することができるので、電話機で表示される画像を一カ所に大きく写しだすことができ、画像情報も個人のみではなく全員で共有できる。画像を拡大に表示できることから、ドアホン画像、ネットワークカメラが配信するＬｉｖｅ画像、ＴＶ電話、ＴＶ会議システム等に活用することで、ビジネスツールとして活躍が期待できる。
【図面の簡単な説明】
【００５６】
【図１】本発明に係る実施の形態の全体構成図である。
【図２】電話機本体にＬＣＤを着脱する様子を示す図である。
【図３】ＬＣＤとプロジェクタユニットの連携の様子を示す図である。
【図４】本発明に係る実施の形態の全体機能ブロック図である。
【図５】プロジェクタユニットの構成図である。
【符号の説明】
【００５７】
１００：電話機本体１００：ＬＣＤ部、１０２：引出しコード、１０３：プロジェクタユニット、１０４：ライト駆動部、１０５：レンズ、１０６：スクリーン、１０７：着脱用コネクタ、１０８：装着部分、１０９：ＬＣＤ装着部分、２０１：着脱可能表示部、２０２：制御部、２０３：音声/通信制御部、２０４：操作部、２０５：メモリ部、２０６：スピーカ、２０７：ハンドセット、２０８：画像制御部、２０９：モジュラーコネクタ、２１０：ＰＯＷＥＲ、２１１：ＬＣＤ調整部、２１２：バックライト駆動部、２１３：ＬＣＤ駆動部、２２０：バックライト、３０１：ＰＯＷＥＲ、３０２：投影レンズ。
【図１】
2007124004.tif 000003
【図２】
2007124004.tif 000004
【図３】
2007124004.tif 000005
【図４】
2007124004.tif 000006
【図５】
2007124004.tif 000007